【事件の表示】
　特願２０１５−　７２２０４「遊技機」拒絶査定不服審判事件〔平成２８年１１月１０日出願公開、特開２０１６−１８９９５０〕について、次のとおり審決する。
【結　論】
　本件審判の請求は、成り立たない。
【理　由】
１　手続の経緯・本願発明
（１）手続の経緯
　本願は、平成２７年３月３１日に出願された特願２０１５−７２２０４であり、その手続の経緯は、概略、以下のとおりである。
　平成２８年　４月２６日　　：手続補正書の提出
　平成２８年　８月２４日付け：拒絶理由通知
　平成２８年１０月２４日　　：意見書、手続補正書の提出
　平成２８年１２月２１日付け：拒絶理由通知（最後）
　平成２９年　３月１０日　　：意見書、手続補正書の提出
　平成２９年　５月１１日付け：平成２９年３月１０日の手続補正についての補正の却下の決定、拒絶査定
　平成２９年　８月２３日　　：審判請求書、手続補正書の提出
　平成３０年　４月１９日　　：拒絶理由通知（以下、通知された拒絶の理由を「当審拒絶理由」という。）
　平成３０年　６月２１日　　：意見書（以下単に「意見書」という。）、手続補正書（以下、該手続補正書による手続補正を「本件補正」という。）の提出
（２）本願発明
　本願の請求項１に係る発明は、本件補正によって補正された特許請求の範囲の請求項１に記載の事項により特定されるものであるところ、請求項１に係る発明は、その特許請求の範囲の請求項１に記載されたとおりの次のものであると認める。
「Ａ　所定の始動条件の成立により、遊技者に有利な遊技利益を付与することとなる遊技結果であるか否かを判定する遊技結果判定手段と、
　Ｂ　特別図柄を変動表示させた後に停止表示させることで前記遊技結果判定手段の判定結果を導出する特別図柄表示装置と、
　Ｃ　前記特別図柄を変動表示させた後に停止表示させるのと同期して、前記判定結果に対応する演出図柄を変動表示させた後に停止表示させる態様の演出を有する変動表示演出を表示する演出表示装置と、
　Ｄ　前記演出表示装置の前方に配置され、遊技者から見て前記変動表示演出に重畳するように透過型表示装置の演出を表示し得る透過型表示装置と、
　Ｅ　前記演出表示装置及び前記透過型表示装置の表示制御を行う演出表示制御手段と、を備え、
　前記演出表示制御手段は、
　Ｅ−１　前記透過型表示装置の表示をオンすることで前記透過型表示装置の演出を前記変動表示演出に重畳して表示し、該変動表示演出の視認を妨げるような表示を行い、
　Ｅ−２　前記透過型表示装置の表示をオフすることで前記透過型表示装置の演出を非表示にし、前記変動表示演出の視認を妨げるような表示を行わないよう表示制御するとともに、
　Ｅ−３　前記特別図柄の停止表示が確定する際に、前記透過型表示装置の表示を強制的にオフにする処理を行い、前記演出表示装置に停止表示した前記演出図柄の視認を妨げないよう表示制御することを特徴とする遊技機。」
　と記載されている。（なお、記号ＡないしＥ−３は、分説するため合議体が付した。）（以下「本願発明」という。）
　
２　当審拒絶理由の概要
　当審拒絶理由のうち、理由３及び４は、次のとおりのものである。
（１）理由３　（新規性）この出願の本件補正前の下記の請求項に係る発明は、その出願前に日本国内又は外国において、頒布された又は電気通信回線を通じて公衆に利用可能となった下記の引用例１に記載された発明であるから、特許法第２９条第１項第３号に該当し、特許を受けることができない。
　
（２）理由４　（進歩性）この出願の本件補正前の下記の請求項に係る発明は、その出願前に日本国内又は外国において、頒布された又は電気通信回線を通じて公衆に利用可能となった以下の引用例１に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
・請求項１
・引用例１．特開２０１４−１８０３４１号公報
３　引用例の記載及び引用発明
（１）引用例１の記載
　当審拒絶理由で引用例１として引用され、本願の出願前に、頒布された又は電気通信回線を通じて公衆に利用可能となった特開２０１４−１８０３４１号公報（平成２６年９月２９日公開）（以下同じく「引用例１」という。）には、次の事項が図とともに記載されている。なお、下線は審決にて付した。
　ア　「【技術分野】
【０００１】 本発明は、パチンコ機やスロットマシン（パチスロ機）、封入式遊技機に代表される遊技台に関する。」
　イ　「【図面の簡単な説明】
【０００９】
　・・・略・・・
【図９５】（ａ）および（ｂ）は、図９４（ａ）〜（ｆ）に続いて、順に、
装飾図柄表示装置２０８における表示および透過部の模様の発光による演出の具体例を示す
　・・・略・・・
【発明を実施するための形態】
【００１０】
　＜第一の実施の形態＞
　
第一〜第三の実施形態とそれらに記載されている実施例の内容及び技術思想は、
相互に組み合わせ可能であり、また、三以上の組み合わせや一部の構成の追加、削除、も同様に適宜設定可能である
　・・・略・・・
【０１３２】
　＜第二の実施の形態＞
　以下、図面を用いて、本発明の実施形態に係る遊技台（例えば、パチンコ機１００等の弾球遊技機やスロット機等の回胴遊技機）について詳細に説明する。
　・・・略・・・
【０１７９】
　＜制御部＞
　次に、図３１を用いて、パチンコ機１００の制御部の回路構成について詳細に説明する。
【０１８０】
　なお、同図は制御部の回路ブロック図を示したものである。
パチンコ機１００の制御部
主制御部３００と
主制御部３００が送信する
コマンド
に応じて主に演出の制御を行う第１副制御部４００と、第１副制御部４００より送信されたコマンドに基づいて各種機器を制御する第２副制御部５００
　・・・略・・・
【０１８８】
　次に、パチンコ機１００の第１副制御部４００について説明する。
第１副制御部４００は
基本回路４０２を備えており
【０１８９】
　また、
基本回路４０２には
各種ランプ４１８
の制御を行うための駆動回路４２０と
装飾図柄表示装置２０８に画像を表示するＶＤＰ４３４（ビデオ・ディスプレイ・プロセッサー）と、を接続している
【０１９０】
　次に、パチンコ機１００の第２副制御部５００について説明する。
第２副制御部５００は
基本回路５０２を備えており
【０１９１】
　また、
基本回路５０２には
遊技盤用ランプ５３２の制御を行うための遊技盤用ランプ駆動回路５３０と
を接続している
　・・・略・・・
【０２０１】
　詳細は後述するが、本実施の形態によるパチンコ機１００は、当否判定において大当りとするか、小当りとするか、はずれとするかの決定を行い、その後、
当該当否判定の結果に基づいて、図柄変動表示後に「特図Ａ」〜「特図Ｊ」のいずれを特図１または特図２表示装置２１２、２１４に停止表示するのかを決定するように構成されている
　・・・略・・・
【０２９５】
　次に、本実施の形態によるパチンコ機１００での特図変動遊技等について図３７乃至図４０を用いて説明する。
　・・・略・・・
【０３００】
　
主制御部３００の基本回路３０２
特図１または特図２の変動遊技の結果を当選（当り）とするか、不当選（はずれ）とするかを決定するために、取得した当り判定用乱数値に対して当否判定用テーブルを参照して当否判定を行う
　・・・略・・・
【０３０４】
　このように、主制御部３００の基本回路３０２は、
特図１始動口２３０または特図２始動口２３２への入球に基づく当否判定結果が大当り
【０３０５】
　また、主制御部３００の基本回路３０２は、特図１始動口２３０または特図２始動口２３２への入球に基づく当否判定結果が
小当り
【０３０６】
　また、主制御部３００の基本回路３０２は、特図１始動口２３０または特図２始動口２３２への入賞に基づく当否判定結果が
はずれ
【０３０７】
　図３８は、特図変動遊技における図柄変動表示の変動時間を決定する特図変動表示時間決定テーブルの一例を示している。
　・・・略・・・
【０３０７】
　図３８は、特図変動遊技における図柄変動表示の変動時間を決定する特図変動表示時間決定テーブルの一例を示している。
　・・・略・・・
【０３１３】
　「変動時間」の図中右隣の「
装飾図柄表示装置での演出態様
停止図柄
および選択された
変動時間
の組合せに対応する特図１変動遊技
　・・・略・・・
【０５２６】
　＜第三の実施の形態＞
　以下、図面を用いて、本発明の実施形態に係る遊技台（例えば、
パチンコ機１００
　・・・略・・・
【０５９５】
　
装飾図柄表示装置２０８の表示領域は、左図柄表示領域２０８ａ、中図柄表示領域２０８ｂ、右図柄表示領域２０８ｃを有し
　・・・略・・・
【０６２２】
　図９４（ａ）〜（ｆ）は、順に、装飾図柄表示装置２０８における表示および透過部の模様の発光による演出の具体例を示す図である。
【０６２３】
　図９５（ａ）および（ｂ）は、図９４（ａ）〜（ｆ）に続いて、順に、装飾図柄表示装置２０８における表示および透過部の模様の発光による演出の具体例を示す図である。
【０６２４】
　なお、図９４（ａ）〜（ｆ）および図９５（ａ）〜（ｂ）の時系列は、図９０（ａ）〜（ｆ）および図９１（ａ）〜（ｂ）の時系列と同じであってもよい。また、異なっていてもよい。
【０６２５】
　図９４（ａ）では、左図柄表示領域２０８ａ、中図柄表示領域２０８ｂおよび右図柄表示領域２０８ｃにおいて装飾図柄を停止表示し、特図１変動遊技の保留数が４である場合を示している。特図１用第四図柄領域７３１ａは停止表示している。
【０６２６】
　図９４（ａ）に続いて、図９４（ｂ）では、保留していた特図１変動遊技を開始し、
左図柄表示領域２０８ａ、中図柄表示領域２０８ｂおよび右図柄表示領域２０８ｃにおいて装飾図柄を変動表示
【０６２７】
　図９４（ｂ）に続いて、図９４（ｃ）では、装飾図柄表示装置２０８は変動表示を継続する。図９４（ｃ）では、
装飾図柄表示装置２０８の前方（遊技者側）で透過部材７０３に施した模様７０３ｔを発光表示する
模様７０３ｔは、左図柄表示領域２０８ａ、中図柄表示領域２０８ｂおよび右図柄表示領域２０８ｃに表示されている装飾図柄のうちの１つを隠すように
発光表示し
【０６２８】
　ところで、演出において、例えば透過部材７０３に施した模様のうち発光表示する模様の違いで、大当りの信頼度の違いを表すようにしてもよい。例えば模様７０３ｔを発光表示する演出は、図９２に示す模様７０３ｓを発光表示する演出よりも信頼度が高い設定とすることができる。なお、当該変動が少なくとも大当りであるときにこの模様の発光表示の演出を実施してもよく、当該変動がハズレのときのみこの模様の発光表示の演出を実施してもよい。また、この模様の発光表示の演出は、当該変動が大当りのときよりもはずれの時の方が出やすくてもよく、その逆でもよく、同じ頻度で出てもよい。
【０６２９】
　図９４（ｃ）に続いて、図９４（ｄ）では、左図柄表示領域２０８ａの装飾図柄を停止表示する。模様７０３ｔの発光表示は継続する。
【０６３０】
　図９４（ｄ）に続いて、図９４（ｅ）では、右図柄表示領域２０８ｃの装飾図柄を停止表示し、リーチ表示をしている。模様７０３ｔの発光表示は継続する。
【０６３１】
　図９４（ｅ）に続いて、図９４（ｆ）では、左図柄表示領域２０８ａ、中図柄表示領域２０８ｂおよび右図柄表示領域２０８ｃにおいて装飾図柄を揺らしながら表示する、揺れ変動を行う。模様７０３ｔの発光表示は継続する。図９４（ｆ）では、揺れ変動の開始に合わせて模様７０３ｔの発光表示を停止してもよい。
【０６３２】
　図９４（ｆ）に続いて、図９５（ａ）では、左図柄表示領域２０８ａ、中図柄表示領域２０８ｂおよび右図柄表示領域２０８ｃにおいて装飾図柄を揺らしながら表示する、揺れ変動を継続する。図９５（ａ）では、揺れ変動を継続中には模様７０３ｓの発光表示も継続する。
【０６３３】
　図９５（ａ）に続いて、図９５（ｂ）では、
左図柄表示領域２０８ａ、中図柄表示領域２０８ｂおよび右図柄表示領域２０８ｃにおいて装飾図柄を停止表示し、特図１用第四図柄領域７３１ａにおいて停止表示を行う
模様７０３ｔの発光表示の停止は、装飾図柄を停止表示した後に行う
装飾図柄の停止表示の前までに模様７０３ｔの発光表示を停止してもよく
装飾図柄の停止表示をするまでの間（第１特別図柄表示装置２１２や第２特別図柄表示装置２１４で停止表示するまでの間）
　ウ　「【図３１】
」
　エ　「【図９４】
　　　　【図９５】
」
　オ　装飾図柄表示装置２０８における表示および透過部の模様の発光による演出の具体例を示す図９５（ａ）及び（ｂ）（上記エ）から、
模様７０３ｔの発光表示を停止することで、装飾図柄が視認し易くなる
（２）引用発明
　引用例１の「【００１０】・・・第一〜第三の実施形態とそれらに記載されている実施例の内容及び技術思想は、・・・相互に組み合わせ可能であり、また、三以上の組み合わせや一部の構成の追加、削除、も同様に適宜設定可能である。」との記載及び技術常識からみて、引用例１には、第一の実施形態及び第二の実施形態の技術的事項を援用した第三の実施形態として、次の発明が記載されているものと認められる（なお、引用箇所の段落番号等を併記した。）。
「ａ　特図１始動口２３０または特図２始動口２３２への入球に基づいて、特図１または特図２の変動遊技の結果を当選（当り）とするか、不当選（はずれ）とするかを決定するために、取得した当り判定用乱数値に対して当否判定用テーブルを参照して当否判定を行う、主制御部３００の基本回路３０２（【０３００】、【０３０４】）と、
　ｂ　当該当否判定の結果に基づいて、図柄変動表示後に「特図Ａ」〜「特図Ｊ」のいずれかを停止表示するのかを決定し、決定された特図を表示する特図１または特図２表示装置２１２、２１４（【０２０１】）と、
　ｃ　停止図柄および選択された変動時間の組合せに対応する特図１変動遊技に対応する演出態様が実行され、左図柄表示領域２０８ａ、中図柄表示領域２０８ｂおよび右図柄表示領域２０８ｃにおいて装飾図柄の変動表示を実行する装飾図柄表示装置（【０３１３】、【０５９５】、【０６２６】）と、
　ｄ　装飾図柄表示装置２０８の前方（遊技者側）で模様７０３ｔを発光表示する透過部材７０３（【０６２７】、図９４（ｃ））と、
　ｅ’主制御部３００が送信するコマンドに応じて主に演出の制御を行い、各種ランプ４１８の制御を行うための駆動回路４２０と、装飾図柄表示装置２０８に画像を表示するＶＤＰ４３４と、を接続した基本回路４０２を備える第１副制御部４００と、第１副制御部４００より送信されたコマンドに基づいて各種機器を制御するものであり、遊技盤用ランプ５３２の制御を行うための遊技盤用ランプ駆動回路５３０を接続した基本回路５０２を備える第２副制御部５００と、を含む制御部（【０１８０】、【０１８８】ないし【０１９１】、図３１）と、
　を備え、
　ｅ−１　模様７０３ｔは、左図柄表示領域２０８ａ、中図柄表示領域２０８ｂおよび右図柄表示領域２０８ｃに表示されている装飾図柄のうちの１つを隠すように発光表示（【０６２７】、図９４（ｃ））し、
　ｅ−２　模様７０３ｔの発光表示を停止することで、装飾図柄が視認し易くなり（図９５、上記（１）オ）、
　ｅ−３’左図柄表示領域２０８ａ、中図柄表示領域２０８ｂおよび右図柄表示領域２０８ｃにおいて装飾図柄を停止表示し、特図１用第四図柄領域７３１ａにおいて停止表示を行い、模様７０３ｔの発光表示の停止は、装飾図柄を停止表示した後に行うか、装飾図柄の停止表示の前までに行うか、装飾図柄の停止表示をするまでの間（第１特別図柄表示装置２１２や第２特別図柄表示装置２１４で停止表示するまでの間）に行う（【０６３３】、図９５（ａ）及び（ｂ））、
　パチンコ機１００（【０５２６】）。」（以下「引用発明」という。）
　
４　対比
（１）本願発明と引用発明とを対比する。なお、以下の見出し（ａ）ないし（ｅ−３）は、本願補正発明のＡないしＥ−３に対応させている。
　（ａ）引用発明の「特図１始動口２３０または特図２始動口２３２への入球」は、技術的にみて、本願発明の「所定の始動条件の成立」に相当する。また、引用発明の「入球に基づいて」「特図１または特図２の変動遊技の結果を当選（当り）とするか、不当選（はずれ）とするかを決定するために、取得した当り判定用乱数値に対して当否判定用テーブルを参照して当否判定を行う」ことは、本願発明の「所定の始動条件の成立により、遊技者に有利な遊技利益を付与することとなる遊技結果であるか否かを判定する」ことに相当する。そうすると、引用発明の「ａ　特図１始動口２３０または特図２始動口２３２への入球に基づいて、特図１または特図２の変動遊技の結果を当選（当り）とするか、不当選（はずれ）とするかを決定するために、取得した当り判定用乱数値に対して当否判定用テーブルを参照して当否判定を行う、主制御部３００の基本回路３０２」は、本願発明の「Ａ　所定の始動条件の成立により、遊技者に有利な遊技利益を付与することとなる遊技結果であるか否かを判定する遊技結果判定手段」に相当する。
　（ｂ）引用発明の「『特図Ａ』〜『特図Ｂ』」は、本願発明の「特別図柄」に相当する。また、引用発明は、当該当否判定の結果に基づいて、図柄変動表示後に「特図Ａ」〜「特図Ｊ」（特別図柄）のいずれかを停止表示するのかを決定し、決定された特図を表示するのである。そうすると、引用発明の「ｂ　当該当否判定の結果に基づいて、図柄変動表示後に「特図Ａ」〜「特図Ｊ」のいずれかを停止表示するのかを決定し、決定された特図を表示する特図１または特図２表示装置２１２、２１４」は、本願発明の「Ｂ　特別図柄を変動表示させた後に停止表示させることで前記遊技結果判定手段の判定結果を導出する特別図柄表示装置」に相当する。
　（ｃ）引用発明の「装飾図柄」は、本願発明の「演出図柄」に相当する。また、引用発明は、停止図柄および選択された変動時間の組合せに対応する特図１変動遊技に対応する演出態様が実行され、左図柄表示領域２０８ａ、中図柄表示領域２０８ｂおよび右図柄表示領域２０８ｃにおいて装飾図柄の変動表示を実行するものであるから、特図１変動遊技に「同期して」装飾図柄の変動表示を装飾図柄表示装置に表示するといえる。そうすると、引用発明の「ｃ　停止図柄および選択された変動時間の組合せに対応する特図１変動遊技に対応する演出態様が実行され、左図柄表示領域２０８ａ、中図柄表示領域２０８ｂおよび右図柄表示領域２０８ｃにおいて装飾図柄の変動表示を実行する装飾図柄表示装置」は、本願発明の「Ｃ　前記特別図柄を変動表示させた後に停止表示させるのと同期して、前記判定結果に対応する演出図柄を変動表示させた後に停止表示させる態様の演出を有する変動表示演出を表示する演出表示装置」に相当する。
　（ｄ）引用発明の「透過部材７０３」は、装飾図柄表示装置２０８（演出表示装置）の前方（遊技者側）で模様７０３ｔを発光表示するものであり、該発光表示が演出であり、装飾図柄表示装置の変動表示演出に重畳して表示する演出であることは明らかである。そうすると、引用発明の特定事項ｄは、本願発明の「Ｄ　前記演出表示装置の前方に配置され、遊技者から見て前記変動表示演出に重畳するように透過型表示装置の演出を表示し得る透過型表示装置」に相当する。
　（ｅ）引用発明の「第１副制御部４００」は、装飾図柄表示装置２０８（演出表示装置）に画像を表示するＶＤＰ４３４と接続した基本回路４２０を備えるものであり、該装飾図柄表示装置２０８（演出表示装置）の表示制御を行うものであるから、引用発明の「ｅ’主制御部３００が送信するコマンドに応じて主に演出の制御を行い、各種ランプ４１８の制御を行うための駆動回路４２０と、装飾図柄表示装置２０８に画像を表示するＶＤＰ４３４と、を接続した基本回路４０２を備える第１副制御部４００と、第１副制御部４００より送信されたコマンドに基づいて各種機器を制御するものであり、遊技盤用ランプ５３２の制御を行うための遊技盤用ランプ駆動回路５３０を接続した基本回路５０２を備える第２副制御部５００と、を含む制御部」と、本願発明の「Ｅ　前記演出表示装置及び前記透過型表示装置の表示制御を行う演出表示制御手段」とは、「Ｅ’　前記演出表示装置の表示制御を行う演出表示制御手段」点で一致する。
　（ｅ−１）引用発明は、模様７０３ｔは、左図柄表示領域２０８ａ、中図柄表示領域２０８ｂおよび右図柄表示領域２０８ｃに表示されている装飾図柄のうちの１つを隠すように発光表示するものであり、透過部材７０３（透過型表示装置）の表示をオンすることで、透過部材７０３における模様７０３ｔの表示（演出）を変動中の装飾図柄に重畳して表示し、該装飾図柄の視認を妨げるような表示を行っているから、引用発明の特定事項ｅ−１は、本願発明の「Ｅ−１　前記透過型表示装置の表示をオンすることで前記透過型表示装置の演出を前記変動表示演出に重畳して表示し、該変動表示演出の視認を妨げるような表示を行い」に相当する構成を備える。
　（ｅ−２）引用発明は、模様７０３ｔの発光表示を停止することで、装飾図柄（演出図柄）が視認し易くなる、すなわち、視認を妨げるような表示を行わないように制御しているものであるから、引用発明の特定事項ｅ−２は、本願発明の「Ｅ−２　前記透過型表示装置の表示をオフすることで前記透過型表示装置の演出を非表示にし、前記変動表示演出の視認を妨げるような表示を行わないよう表示制御する」に相当する構成を備える。
　（ｅ−３）引用発明の「パチンコ機１００」は、本願発明の「遊技機」に相当する。また、引用発明は、模様７０３ｔの発光表示の停止は、装飾図柄を停止表示した後、すなわち、装飾図柄（演出図柄）が停止表示した際に行われるものである。そうすると、引用発明の「ｅ−３’　左図柄表示領域２０８ａ、中図柄表示領域２０８ｂおよび右図柄表示領域２０８ｃにおいて装飾図柄を停止表示し、特図１用第四図柄領域７３１ａにおいて停止表示を行い、模様７０３ｔの発光表示の停止は、装飾図柄を停止表示した後に行うか、装飾図柄の停止表示の前までに行うか、装飾図柄の停止表示をするまでの間（第１特別図柄表示装置２１２や第２特別図柄表示装置２１４で停止表示するまでの間）に行う、パチンコ機１００」と、本願発明の「Ｅ−３　前記特別図柄の停止表示が確定する際に、前記透過型表示装置の表示を強制的にオフにする処理を行い、前記演出表示装置に停止表示した前記演出図柄の視認を妨げないよう表示制御することを特徴とする遊技機」とは、「Ｅ−３’　前記特別図柄の停止表示が確定する際に、前記透過型表示装置の表示をオフにする処理を行い、前記演出表示装置に停止表示した前記演出図柄の視認を妨げないよう表示制御する、遊技機」である点で一致する。
　
（２）上記（１）からみて、本願発明と引用発明とは、
「Ａ　所定の始動条件の成立により、遊技者に有利な遊技利益を付与することとなる遊技結果であるか否かを判定する遊技結果判定手段と、
　Ｂ　特別図柄を変動表示させた後に停止表示させることで前記遊技結果判定手段の判定結果を導出する特別図柄表示装置と、
　Ｃ　前記特別図柄を変動表示させた後に停止表示させるのと同期して、前記判定結果に対応する演出図柄を変動表示させた後に停止表示させる態様の演出を有する変動表示演出を表示する演出表示装置と、
　Ｄ　前記演出表示装置の前方に配置され、遊技者から見て前記変動表示演出に重畳するように透過型表示装置の演出を表示し得る透過型表示装置と、
　Ｅ’　前記演出表示装置の表示制御を行う演出表示制御手段と、
　を備え、
　前記演出表示制御手段は、
　Ｅ−１　前記透過型表示装置の表示をオンすることで前記透過型表示装置の演出を前記変動表示演出に重畳して表示し、該変動表示演出の視認を妨げるような表示を行い、
　Ｅ−２　前記透過型表示装置の表示をオフすることで前記透過型表示装置の演出を非表示にし、前記変動表示演出の視認を妨げるような表示を行わないよう表示制御するとともに、
　Ｅ−３’　前記特別図柄の停止表示が確定する際に、前記透過型表示装置の表示をオフにする処理を行い、前記演出表示装置に停止表示した前記演出図柄の視認を妨げないよう表示制御する、
　遊技機。」の点で一致し、次の点で相違する。
　
・相違点１（特定事項Ｅ）
　「演出表示制御手段」が、
　本願発明では、「透過型表示装置の表示制御を行う」のに対し、
　引用発明では、そのような特定はない点。
　
・相違点２（特定事項Ｅ−３）
　「特別図柄の停止表示が確定する際に、前記透過型表示装置の表示をオフにする処理」を
　本願発明では、「強制的」に行っているのに対し、
　引用発明では、そのような特定はない点。
５　判断
（１）上記相違点１について検討する。
　ア　引用発明の「制御部」は、「第１副制御部」及び「第２副制御部」を含むものであり、前記「制御部」は、それ自体で、演出の表示制御の全てを行っているといえ、本願発明の「演出表示制御手段」に相当するともいえる。そうすると、引用発明の「制御部」（演出表示制御手段）で透過部材７０３（透過型表示装置）の光源の発光制御を行っているものといえるものである。このように理解した場合、引用発明は、上記相違点１に係る本願発明の特定事項を備えるといえる。してみると、上記相違点１は実質的な相違点ではない。
　イ　仮に、上記相違点１が実質的な相違点であったとして検討する。引用例１には、図３１やその他の記載を参照しても、透過部材７０３の光源７０２Ａないし７０２Ｈの発光制御を第１副制御部４００及び第２副制御部５００のうち、いずれの制御部によって制御するのかが明示されていないものの、引用発明は、「各種ランプ４１８」が第１副制御部と接続され、「遊技盤用ランプ５３２」が第２副制御部と接続されていることから、技術常識からみて、「各種ランプ４１８」が第１副制御部で制御され、「遊技盤用ランプ５３２」が第２副制御部で制御されているといえる。
　ウ　上記イからみて、引用発明において、いずれかのランプ、すなわち光源の発光を制御するのは、第１副制御部及び第２副制御部のうち、いずれの副制御部でも制御可能であることが把握できるものであるところ、第１副制御部が装飾図柄表示装置の制御を行うことから、該装飾図柄表示装置での演出と同期し得る透過部材７０３（透過型表示装置）の演出、すなわち透過部材７０３の光源の発光制御を第１副制御部で行うようになすことは当業者が必要に応じ適宜選択し得る程度のことにすぎない。
　エ　以上のとおりであるから、引用発明において、上記相違点１に係る本願発明の特定事項となすことは当業者が容易になし得たことである。
　
（２）上記相違点２について検討する。
　ア　引用発明は、模様７０３ｔの発光表示の停止（透過型表示装置の表示をオフ）は、装飾図柄を停止表示した後、すなわち、装飾図柄（演出図柄）が停止表示した際に行われるものであるところ、引用例１には、模様７０３ｔの発光表示の停止が「強制的に」なされるものかどうかは明示されていない。
　イ　しかしながら、引用例１には、模様７０３ｔの発光表示の停止に関し、その停止が任意に実行可能であるかの態様、例えば、抽選により停止するか否かや停止時期を異ならせるような態様が記載されているわけでもなく、装飾図柄の変動表示と前後して必ず発光表示も停止するといえる。そうすると、技術常識からみて、引用発明の模様７０３ｔの発光表示の停止（透過型表示装置の表示をオフ）が強制的に行われているものと理解することができる。してみると、上記相違点２は実質的な相違点ではない。
　ウ　仮に上記相違点２が実質的な相違点であったとしても、引用発明において、模様７０３ｔの発光表示の停止（透過型表示装置の表示をオフ）を強制的になすこと、すなわち、上記相違点２に係る本願発明の特定事項となすことは当業者が適宜なし得たことである。
（３）本願発明の奏する効果は、引用発明の奏する効果及び引用例１の記載事項の奏する効果から当業者が予測することができた程度のことである。
　
（４）したがって、本願発明は、当業者が引用例１に記載された発明及び引用例１の記載事項に基づいて容易に発明をすることができたものである。
（５）審判請求人の主張について
　ア　審判請求人は、意見書において、概略、以下のとおり主張している。
「４．拒絶理由に対する出願人の意見
　・・・略・・・
（３）理由３（新規性）、理由４（進歩性）について
　本願発明と引用文献１に記載の発明を対比すると、
（相違点１）本願発明は演出表示制御手段が演出表示装置及び透過型表示装置の表示制御を行うのに対し、引用発明は演出表示制御手段が透過型表示装置の表示制御を行っているか明らかでない点、
（相違点２）本願発明は演出表示制御手段が特別図柄の停止表示が確定する際に、前記透過型表示装置の表示を強制的にオフにする処理を行うのに対し、引用発明は強制的にオフする処理を行う構成がない点、
において両者は相違しています。
 
　相違点１について、引用文献１の図３１の制御回路ブロック図には、第１副制御部と第２副制御部が記載され、遊技盤用ランプ、遊技台枠用ランプの制御は第２副制御部５００で、装飾図柄表示装置の制御は第１副制御部４００で行うことが図示されています。そして、段落０１９０には、「第２副制御部５００は、第１副制御部４００が送信した制御コマンドを入力インタフェースを介して受信し、この制御コマンドに基づいて第２副制御部５００の全体を制御する基本回路５０２を備えており、基本回路５０２は、・・・」と記載されています。図３１の制御回路ブロック図を見る限り、本願の図５に開示の制御ブロック図とは明らかに異なっております。
　したがって、引用文献１には、演出表示制御手段が演出表示装置及び透過型表示装置の表示制御を行う構成は記載されているとはいえません。仮に記載されているとするなら、引用文献１の第１副制御部４００と第２副制御部５００の関係について、少なくとも周知技術を追加するなどして合理的に説明する必要があると思料されます。
　相違点２については、引用文献１には、段落０６３３に、「左図柄表示領域２０８ａ、中図柄表示領域２０８ｂおよび右図柄表示領域２０８ｃにおいて装飾図柄を停止表示し、特図１用第四図柄領域７３１ａにおいて停止表示を行う。模様７０３ｔの発光表示の停止は、装飾図柄を停止表示した後に行う。なお、装飾図柄の停止表示の前までに模様７０３ｔの発光表示を停止してもよく、装飾図柄の停止表示をするまでの間（第１特別図柄表示装置２１２や第２特別図柄表示装置２１４で停止表示するまでの間）に模様７０３ｔの発光表示の停止をしてもよい。」と記載されており、模様７０３ｔの発光表示の停止は装飾図柄の停止時に対し、様々な停止タイミングがあることは記載されています。
　しかし、本願発明のように、演出表示制御手段が特別図柄の停止表示が確定する際に、前記透過型表示装置の表示を強制的にオフにする処理を行う点については引用文献１には記載されておりません。そもそも引用文献１には本願発明の課題は内在していないため、相違点２について、それを示唆するような記載もありません。
　そして、本願発明は明細書に記載のとおりの「演出表示装置の前方に透過型表示装置が配置された遊技機において、特別図柄の変動停止時に透過型表示装置の表示が継続するという不具合を未然に防ぐことができる。」（段落０００９）、「特別図柄の停止表示が確定した後でもイルミネーションパネル９０が点灯するといった事態が回避されるため、例えば、パチンコ機の適合試験において不適合となるリスクも低減できるといった利点もある。」（段落０４４２）という特有の効果を奏することができます。
　なお、相違点１、２はいずれも演出表示制御手段の構成であり、相違点２は相違点１を前提とした相違点でもあります。すなわち、本願発明の相違点２の構成は相違点１の構成を備えることによって実現できるものであります。したがって、本願の相違点２の構成は引用文献１に記載された発明から辿り着くことは当業者の通常の創作能力を超えるものと思料されます。
　よって、本願の請求項１に係る発明は、引用文献１に基づき容易に想到し得たものでないことは明らかです。」
　イ　審判請求人の主張について検討する。
　審判請求人が主張する「相違点１」は上記相違点１と同様であり、上記（１）で述べたとおり、引用発明の「制御部」を本願発明の「演出表示制御手段」とみれば、上記相違点１に係る本願発明の構成を備えるものである。また、引用発明において、透過部材７０３（透過型表示装置）の光源の発光制御を第１副制御部で制御するようになすことも当業者にとって容易である。
　また、審判請求人が主張する「相違点２」は上記相違点２と同様であり、上記（２）で述べたとおり、引用発明の模様７０３ｔの発光表示の停止（透過型表示装置の表示をオフ）が強制的に行われているものと理解することができ、上記相違点２は実質的な相違点ではない。仮に上記相違点２が実質的な相違点であったとしても、引用発明において、模様７０３ｔの発光表示の停止（透過型表示装置の表示をオフ）を強制的になすことは当業者が適宜なし得たことである。
　以上のとおり、審判請求人の主張は、採用することができない。
６　むすび
　本願発明は、当業者が引用例１に記載された発明に基づいて容易に発明をすることができたものであるから、特許法第２９条第２項の規定により特許を受けることができない。
　よって、結論のとおり審決する。